Podtech/llm-jp-corpus-v4-ja_patent huggingface dataset:
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
ファイルサーバ内に複数のファイルを保存する第１のステップと、
前記ファイルサーバ内の各前記ファイルをそれぞれ解析することにより得られた該ファイルごとのインデックス情報からなり、与えられた検索要求を満たすファイルを特定するために第１のコンピュータが用いるインデックスを生成すると共に、前記ファイルサーバ内の前記ファイルへの操作をモニタし、前記ファイルサーバ内の前記ファイルが更新されたときには、該ファイルを所定の更新済ファイルリストに登録する第２のステップと、
前記更新済ファイルリストに登録された前記ファイルを解析することにより得られるインデックス情報に基づいて前記インデックスを更新する第３のステップと
を備えることを特徴とするデータにアクセスするための方法。
【請求項２】
前記第３のステップにおいて、
前記ファイルサーバは、
前記更新済ファイルリストに登録された前記ファイルに関する第１の情報を前記第１のコンピュータに送信し、
前記第１のコンピュータは、
前記第１の情報に基づいて、該ファイルの解析を行なう
ことを特徴とする請求項１に記載の方法。
【請求項３】
前記第１の情報は、
前記対応するファイルへのパス情報であり、
前記第１のコンピュータは、
前記第１の情報に基づいて該ファイルにアクセスし、該ファイルを解析する
ことを特徴とする請求項２に記載の方法。
【請求項４】
前記第１の情報は、該ファイル自体である
ことを特徴とする請求項２に記載の方法。
【請求項５】
前記第１の情報は、前記更新済ファイルリストのコピーである
ことを特徴とする請求項２に記載の方法。
【請求項６】
前記インデックスを更新した後、前記更新済ファイルリストをクリアする第４のステップを更に備える
ことを特徴とする請求項１に記載の方法。
【請求項７】
前記第４のステップでは、
前記更新済ファイルリストの内容を削除する
ことを特徴とする請求項６に記載の方法。
【請求項８】
前記インデックスは前記第１のコンピュータ内に保存される
ことを特徴とする請求項１に記載の方法。
【請求項９】
前記第１のコンピュータは、
与えられた検索要求を満たすファイルを前記インデックスに基づいて検索する検索エンジンが搭載された検索エンジンサーバである
ことを特徴とする請求項１に記載の方法。
【請求項１０】
複数のファイルを保存するストレージと、
前記ストレージに保存された前記複数のファイルのうちの内容が更新された前記ファイルが登録される更新済ファイルリストと、
第１のファイルに対する書き込み操作の要求を受信したときに、当該第１のファイルを前記更新済ファイルリストに登録し、第１のコンピュータからの要求に応じて、前記更新済ファイルリストに登録した前記第１のファイルを解析するための第１の情報を該第１のコンピュータに送信すると共に、前記第１の情報を前記第１のコンピュータに送信した後に前記第１のファイルを前記更新済ファイルリストから削除するファイルサーバ制御部と
を備えることを特徴とするファイルサーバ。
【請求項１１】
前記第１のコンピュータは、
与えられた検索要求を満たすファイルを前記インデックスに基づいて検索する検索エンジンが搭載された検索エンジンサーバである
ことを特徴とする請求項１０に記載のファイルサーバ。
【請求項１２】
検索要求を受信し、該検索要求に応答して、第１のファイルサーバ内に保存されている各ファイルをそれぞれ精査することにより得られた各インデックス情報からなるインデックスに基づいて該検索要求を満たすファイルを特定し、検索結果を送信する第１のステップと、
第１のファイルサーバ内に保存された前記ファイルのうち、所定の第１の時点以降に更新されたファイルに関する第１の情報を該第１のファイルサーバから受信し、当該第１の情報に基づいて、前記第１の時点以降に更新されたファイルにアクセスし、当該ファイルを精査して当該ファイルの前記インデックス情報を生成し、生成した前記インデックス情報に基づいて前記インデックスを更新する第２のステップと
を備えることを特徴とするファイルサーバに保存されたファイルにアクセスする方法。
【請求項１３】
前記第１の時点は、最後に前記インデックスが更新された時点である
ことを特徴とする請求項１２に記載の方法。
【請求項１４】
前記第１の時点は、前記インデックスの生成後の時点である
ことを特徴とする請求項１２に記載の方法。
【請求項１５】
前記第１のステップでは、
前記第１のファイルサーバから複数の第１のファイルにアクセスし、
前記第２のステップでは、
各前記第１のファイルをそれぞれ精査して前記第１のファイルごとの前記インデックス情報をそれぞれ生成すると共に、前記インデックス内に各前記インデックス情報を追加することにより、各前記第１のファイルをインデックス付し、
前記第１の時点は、
全ての前記第１のファイルにインデックス付けを完了した後の時点である
ことを特徴とする請求項１２に記載の方法。
【請求項１６】
前記第２のステップでは、
前記複数の第１のファイルに対するインデックス付けに際して、第１の要求を前記第１のファイルサーバに送信し、
前記第１の時点は、
該ファイルサーバが該第１の要求を受信した時点に基づいて決められる
ことを特徴とする請求項１２に記載の方法。
【請求項１７】
前記第１のステップは、
第２のファイルサーバから複数の第２のファイルにアクセスし、
前記第２のステップでは、
各前記第２のファイルをそれぞれ精査して前記第２のファイルごとの前記インデックス情報をそれぞれ生成し、前記インデックス内に各前記インデックス情報を追加することにより、各前記第２のファイルをインデックス付する処理を全ての前記第２のファイルについて実行する
ことを特徴とする請求項１２に記載の方法。
【請求項１８】
第２のステップでは、
前記インデックスの更新が複数の前記第１のファイルサーバに対して実行され、各前記第１のファイルサーバは、それぞれ固有の前記第１の時点を有する
ことを特徴とする請求項１２に記載の方法。
【請求項１９】
前記第１の時点は、
前記第１のファイルサーバの前記インデックスを生成した後の時点である
ことを特徴とする請求項１８に記載の方法。
【請求項２０】
前記第１の時点は、
前回の前記インデックスの更新後の時点である
ことを特徴とする請求項１８に記載の方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明のこの態様は、更新済ファイルリストに関連した議論と類似している事に注意願いたい。検索エンジンは、既に議論したように、ファイルシステムでのインデックスの更新を行おうとするときには、ファイルシステムに関連した更新済ファイルリストを調査する。かくのごとく、検索エンジンがインデックス更新を行う時には、更新済ファイルリスト内の参照されたファイルをアクセスして精査するのみでよい。
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
コンピュータに、前記コンピュータのプログラム実行環境を特定するための実行環境特定情報を含むリクエストを、ネットワークを介して所定サーバに送信するステップ、前記実行環境特定情報により特定されるプログラム実行環境下でインストール可能なインストール候補を含むリストを、前記ネットワークを介して前記所定サーバから受信するステップ、所定条件に従ってインストール候補を前記リストから選択するステップ、前記選択されたインストール候補をインストールするステップ、を実行させるためのプログラム。
【請求項２】
前記実行環境特定情報は、前記コンピュータの機種名を特定する情報とそのコンピュータにインストールされているオペレーティングシステムを特定する情報を含む、請求項１に記載のプログラム。
【請求項３】
前記インストール候補はドライバプログラムである、請求項１に記載のプログラム。
【請求項４】
前記リストはインストール候補のダウンロード先アドレスを含み、前記選択されたインストール候補は、そのダウンロード先アドレスからダウンロードされてインストールされる、請求項１に記載のプログラム。
【請求項５】
情報処理装置であって、自己のプログラム実行環境を特定するための実行環境特定情報を含むリクエストを、ネットワークを介して所定サーバに送信する手段、前記実行環境特定情報により特定されるプログラム実行環境下でインストール可能なインストール候補を含むリストを、前記ネットワークを介して前記所定サーバから受信する手段、所定条件に従ってインストール候補を前記リストから選択する手段、前記選択されたインストール候補をインストールする手段、を備える情報処理装置。
【請求項６】
前記実行環境特定情報は、前記コンピュータの機種名を特定する情報とそのコンピュータにインストールされているオペレーティングシステムを特定する情報を含む、請求項５に記載の情報処理装置。
【請求項７】
前記インストール候補はドライバプログラムである、請求項５に記載の情報処理装置。
【請求項８】
前記リストはインストール候補のダウンロード先アドレスを含み、
前記選択されたインストール候補は、そのダウンロード先アドレスからダウンロードされてインストールされる、請求項５に記載の情報処理装置。
【請求項９】
ネットワークに接続されたコンピュータにインストールする方法であって、前記コンピュータのプログラム実行環境を特定するための実行環境特定情報を含むリクエストを、前記ネットワークを介して所定サーバに送信するステップ、前記実行環境特定情報により特定されるプログラム実行環境下でインストール可能なインストール候補を含むリストを、前記ネットワークを介して前記所定サーバから受信するステップ、所定条件に従ってインストール候補を前記リストから選択するステップ、前記選択されたインストール候補をインストールするステップ、を備えるインストール方法。
【請求項１０】
前記実行環境特定情報は、前記コンピュータの機種名を特定する情報とそのコンピュータにインストールされているオペレーティングシステムを特定する情報を含む、請求項９に記載のインストール方法。
【請求項１１】
前記インストール候補はドライバプログラムである、請求項９に記載のインストール方法。
【請求項１２】
前記リストはインストール候補のダウンロード先アドレスを含み、
前記選択されたインストール候補は、そのダウンロード先アドレスからダウンロードされてインストールされる、請求項９に記載のインストール方法。
【請求項１３】
ネットワークに接続された、情報処理装置および所定サーバを包含するシステムであって、前記情報処理装置は、自己のプログラム実行環境を特定するための実行環境特定情報を含むリクエストを、前記ネットワークを介して所定サーバに送信する手段、前記実行環境特定情報により特定されるプログラム実行環境下でインストール可能なインストール候補を含むリストを、前記ネットワークを介して前記所定サーバから受信する手段、所定条件に従ってインストール候補を前記リストから選択する手段、前記選択されたインストール候補をインストールする手段、を備えるシステム。
【請求項１４】
前記実行環境特定情報は、前記コンピュータの機種名を特定する情報とそのコンピュータにインストールされているオペレーティングシステムを特定する情報を含む、請求項１３に記載のシステム。
【請求項１５】
前記インストール候補はドライバプログラムである、請求項１３に記載のシステム。
【請求項１６】
前記リストはインストール候補のダウンロード先アドレスを含み、前記選択されたインストール候補は、そのダウンロード先アドレスからダウンロードされてインストールされる、請求項１３に記載のシステム。
【請求項１７】
ネットワークに接続された、情報処理装置および所定サーバを包含するシステムであって、前記情報処理装置は、自己のプログラム実行環境を特定するための実行環境特定情報を含むリクエストを、前記ネットワークを介して所定サーバに送信する手段、前記実行環境特定情報により特定されるプログラム実行環境下でインストール可能なインストール候補を含むリストを、前記ネットワークを介して前記所定サーバから受信する手段、所定条件に従ってインストール候補を前記リストから選択する手段、前記選択されたインストール候補をインストールする手段を備え、前記所定サーバは、前記情報処理装置から送信されるリクエストを受信する手段、前記リクエストに含まれる実行環境特定情報により特定されるプログラム実行環境下でインストール可能なインストール候補に関する情報を、所
定データベースから検索する手段、前記検索結果を前記インストール候補を含むリストとして前記情報処理装置に送信する手段を備えるシステム。
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
情報のコレクションへの区別されたアクセスを提供する方法であって、
複数のアクセスレベルから第１アクセスレベルを特定する情報のコレクションへの第１ポインタを生成するステップと、
前記第１ポインタの表示を出力するステップとからなることを特徴とする方法。
【請求項２】
請求項１記載の方法であって、前記第１ポインタは、前記コレクションを含み、さらに前記第１アクセスレベルを示すファイルを含むディレクトリを特定することを特徴とする方法。
【請求項３】
請求項１記載の方法であって、前記第１ポインタは、前記アクセスレベルを示すファイルを特定することにより前記第１アクセスレベルを特定することを特徴とする方法。
【請求項４】
請求項１記載の方法であって、さらに、
前記第１ポインタを表す機械読取可能な表示を生成するステップを有し、
前記第１ポインタの表示を出力するステップは、前記機械読取可能な表示を含む文書の出力からなることを特徴とする方法。
【請求項５】
請求項４記載の方法であって、前記文書を出力するステップは、ペーパーカバーシートの印刷からなることを特徴とする方法。
【請求項６】
請求項５記載の方法であって、前記ペーパーカバーシートはコレクション概観からなり、前記第１ポインタは前記コレクション概観内の第１領域に対して第１アクセスレベルを指定し、前記第１ポインタはさらに前記コレクション概観内の第２領域に対して第２アクセスレベルを指定することを特徴とする方法。
【請求項７】
請求項４記載に方法であって、前記表示は、機械読取可能なコードからなることを特徴とする方法。
【請求項８】
請求項１記載の方法であって、さらに、
前記第１アクセスレベルと異なる第２アクセスレベルを特定する前記コレクションへの第２ポインタを生成するステップを有することを特徴とする方法。
【請求項９】
請求項１記載の方法であって、さらに、
前記第１ポインタを表す第１機械読取可能な表示を生成するステップと、
前記第１アクセスレベルと異なる第２アクセスレベルを特定する前記コレクションへの第２ポインタを生成するステップと、
前記第２ポインタを表す第２機械読取可能な表示を生成するステップと、
前記第２機械読取可能な表示を含む第２文書を出力するステップとを有し、前記第１ポインタの表示を出力するステップは、前記第１機械読取可能な表示を含む第１文書の出力からなることを特徴とする方法。
【請求項１０】
請求項９記載の方法であって、前記第１文書を出力するステップは第１ペーパーカバーシートの印刷からなり、前記第２文書を出力するステップは第２ペーパーカバーシートの印刷からなることを特徴とする方法。
【請求項１１】
請求項１０記載の方法であって、前記第１文書を出力するステップは、さらに、前記コレクションを一意的に特定するコレクション識別子の前記第１ペーパーカバーシートへの印刷からなり、前記第２文書を出力するステップは、さらに、前記同一のコレクション識別子の前記第２ペーパーカバーシートへの印刷からなることを特徴とする方法。
【請求項１２】
請求項１記載の方法であって、前記複数のアクセスレベルは、管理者、編集、削除、読み出しのみ及び追加のみの少なくとも１つからなるアクセスレベルからなることを特徴とする方法。
【請求項１３】
請求項１記載の方法であって、前記複数のアクセスレベルは、アクセス許可を主となるコレクションから継承することを指定する少なくとも１つのアクセスレベルを有することを特徴とする方法。
【請求項１４】
請求項１記載の方法であって、前記複数のアクセスレベルは、アクセス許可を主となるコレクション内の文書に適用することを指定する少なくとも１つのアクセスレベルを有することを特徴とする方法。
【請求項１５】
請求項１記載の方法であって、前記コレクションは、複数の文書からなることを特徴とする方法。
【請求項１６】
請求項１記載の方法であって、前記コレクションは、少なくとも１つのマルチメディアアイテムからなることを特徴とする方法。
【請求項１７】
請求項１記載の方法であって、前記コレクションは、文書、画像、ファイル、映像データ及び音声データの少なくとも１つのアイテムからなることを特徴とする方法。
【請求項１８】
請求項１記載の方法であって、さらに、
前記第１ポインタの表示を受け取るステップと、
前記表示を読み取るステップと、
前記第１アクセスレベルに従って前記コレクションへのアクセスを提供するステップとを有することを特徴とする方法。
【請求項１９】
請求項１記載の方法であって、さらに、
前記第１ポインタの表示を受け取るステップと、
前記表示を読み取るステップと、
前記コレクションへのアクセスに対するリクエストを示す信号を受信するステップと、
前記第１アクセスレベルに従う前記リクエストされたアクセスに応じて、前記リクエストされたアクセスを提供するステップとを有することを特徴とする方法。
【請求項２０】
請求項１記載の方法であって、さらに、
前記第１ポインタの表示を受け取るステップと、
前記表示を読み取るステップと、
前記コレクションへのアクセスに対するリクエストを示す信号を受信するステップと、
前記第１アクセスレベルに従わない前記リクエストされたアクセスに応じて、前記アクセスに対するリクエストを拒絶するステップとを有することを特徴とする方法。
【請求項２１】
請求項１記載の方法であって、前記表示はさらに、前記アクセスレベルを変更するための少なくとも１つの基準を示すことを特徴とする方法。
【請求項２２】
請求項２１記載の方法であって、前記アクセスレベルを変更するための基準は、失効基準からなることを特徴とする方法。
【請求項２３】
請求項１記載の方法であって、さらに、前記コレクションを一意的に特定するコレクション識別子を出力するステップを有することを特徴とする方法。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
１対の透明なプレートの間に挟まれた液晶材料を含んでいる液晶構造体を有し、ポジチブまたはネガチブ動作モードで動作する液晶表示装置において、
前記１対の透明なプレートは所望の液晶表示セグメントを与えるパターン化された電極を支持し、
液晶表示装置はさらに、互いに整列または回転されている透過軸を有する前部および後部偏光層と、前部偏光層に入射した周囲光を前記後部偏光層と前記液晶構造体と前記前部偏光層とを通って観察者に反射して戻す反射器とを具備し、
さらに、前記後部偏光層と前記反射器との間に配置され、前記表示セグメントに対して特定の色を与えるために前記入射した周囲光に応答してネガチブ動作モードで特定の波長の光を放射する蛍光材料層を具備している液晶表示装置。
【請求項２】
前記蛍光材料層はまた燐光材料を含んでいる請求項１記載の液晶表示装置。
【請求項３】
１／２以上のデューティサイクルで前記パターン化された電極を駆動する多重化駆動装置を含んでいる請求項１記載の液晶表示装置。
【請求項４】
前記蛍光材料層は前記反射器上に印刷されている請求項１記載の液晶表示装置。
【請求項５】
前記反射器は、半透明材料、白いプラスティックシートまたは白いペーパーシートの１つで構成されている請求項１記載の液晶表示装置。
【請求項６】
前記後部偏光層は、反射性の偏光体フィルム、または二重輝度増強偏光体の１つで構成されている請求項１記載の液晶表示装置。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
画像取込み装置であって、
画像取込み装置の画像取込みの遠隔操作を行うためのユーザ入力を受信するユーザ入力受信手段と、
ユーザの発話を表す音声信号を受信する音声信号受信手段と、
受信した前記音声信号を処理して前記ユーザの発話の中のキーワードを検出する音声処理手段と、
画像を取込む画像取込み手段と、
前記ユーザ入力受信手段と前記音声処理手段とに応答して、前記画像取込み手段を制御するコントローラとを有し、
前記コントローラは、前記ユーザ入力に応答して、所定時間が経過するまでは、前記画像取込み装置をユーザの発話に応答しない待機状態に設定し、前記所定時間が経過すると、前記画像取込み装置を、前記音声処理手段が前記キーワードを検出したときに前記画像取込み手段に画像を取込ませる聴取状態に設定することを特徴とする画像取込み装置。
【請求項２】
前記コントローラは、前記音声処理手段が前記キーワードを検出した後、ユーザ指定時間の経過を待って、前記画像取込み手段に画像を取込ませることを特徴とする請求項１に記載の画像取込み装置。
【請求項３】
前記ユーザ入力受信手段は、前記ユーザ指定時間を指定するユーザ入力を受信することを特徴とする請求項２に記載の画像取込み装置。
【請求項４】
前記コントローラは、前記音声処理手段が前記キーワードを検出した後、前記画像取込み装置を前記聴取状態に戻す前に、所定時間にわたり前記画像取込み装置を前記待機状態に設定することを特徴とする請求項１乃至３のいずれか１項に記載の画像取込み装置。
【請求項５】
前記コントローラは、当該画像取込み動作中、前記画像取込み装置が前記待機状態と前記聴取状態を繰り返すよう制御することを特徴とする請求項４に記載の画像取込み装置。
【請求項６】
前記コントローラは、前記音声処理手段がユーザにより発話された連続する複数のキーワードを検出したことに応答して、前記画像取込み手段に画像を取込ませることを特徴とする請求項１乃至５のいずれか１項に記載の画像取込み装置。
【請求項７】
前記コントローラは、ユーザが前記遠隔操作を実行した後所定時間内に前記音声処理手段によりキーワードが検出されなかった場合、前記画像取込み手段に画像を取込ませ、当該画像取込み動作を終了させることを特徴とする請求項１乃至６のいずれか１項に記載の画像取込み装置。
【請求項８】
前記コントローラは、前記ユーザが前記ユーザ入力受信手段を介して前記遠隔操作を実行した後、所定時間の経過を待って、当該画像取込み動作を終了させることを特徴とする請求項１乃至７のいずれか１項に記載の画像取込み装置。
【請求項９】
画像取込み装置において実行される画像取込み方法であって、
前記画像取込み装置の画像取込みの遠隔操作を行うためのユーザ入力を受信するユーザ入力受信ステップと、
ユーザの発話を表す音声信号を受信する音声信号受信ステップと、
受信した前記音声信号を処理して前記ユーザの発話の中のキーワードを検出する音声処理ステップと、
受信した前記ユーザ入力と検出した前記キーワードとに応答して画像を取込むために前記画像取込み装置を制御する制御ステップとを有し、
前記制御ステップは、前記ユーザ入力に応答して、所定時間が経過するまでは、前記画像取込み装置を、ユーザの発話に応答しない待機状態に設定し、前記所定時間が経過すると、前記画像取込み装置を、前記音声処理ステップで前記キーワードが検出されたときに前記画像取込み装置に画像を取込ませる聴取状態に設定することを特徴とする画像取込み方法。
【請求項１０】
前記制御ステップは、前記音声処理ステップで前記キーワードが検出された後、ユーザ指定時間の経過を待って、前記画像取込みステップにおいて画像を取込ませることを特徴とする請求項９に記載の画像取込み方法。
【請求項１１】
前記ユーザ入力受信ステップは、前記ユーザ指定時間を指定するユーザ入力を受信することを特徴とする請求項１０に記載の画像取込み方法。
【請求項１２】
前記制御ステップは、前記音声処理ステップで前記キーワードが検出された後、前記画像取込み装置を前記聴取状態に戻す前に、所定時間にわたり前記画像取込み装置を前記待機状態に設定することを特徴とする請求項９乃至１１のいずれか１項に記載の画像取込
み方法。
【請求項１３】
前記制御ステップは、当該画像取込み動作中、前記画像取込み装置が前記待機状態と前記聴取状態を繰り返すよう制御することを特徴とする請求項１２に記載の画像取込み方法。
【請求項１４】
前記制御ステップは、前記音声処理ステップでユーザにより発話された連続する複数のキーワードを検出したことにに応答して、前記画像取込みステップにおいて画像を取込ませることを特徴とする請求項９乃至１３のいずれか１項に記載の画像取込み方法。
【請求項１５】
前記制御ステップは、ユーザが前記遠隔操作を実行した後所定時間内に前記音声処理ステップでキーワードが検出されなかった場合、前記画像取込むステップにおいて画像を取込ませ、当該画像取込み動作を終了させることを特徴とする請求項９乃至１４のいずれか１項に記載の画像取込み方法。
【請求項１６】
前記制御ステップは、前記ユーザ入力受信ステップで前記ユーザが前記遠隔操作を実行した後、所定時間の経過を待って、当該画像取込み動作を終了させることを特徴とする請求項９乃至１５のいずれか１項に記載の画像取込み方法。
【請求項１７】
プログラム可能なコンピュータ装置に請求項９乃至１６のいずれか１項に記載の画像取込み方法を実行させるためのコンピュータ実行可能な命令を格納したコンピュータ読み取り可能な記憶媒体。
【請求項１８】
プログラム可能なコンピュータ装置に請求項９乃至１６のいずれか１項に記載の画像取込み方法を実行させるためのコンピュータ実行可能な命令を含むコンピュータプログラム製品。
【請求項１９】
画像取込み装置の画像取込みの遠隔操作を行うためのユーザ入力を受信するユーザ入力受信手段と、
ユーザの発話を表す音声信号を受信する音声信号受信手段と、
受信した前記音声信号を処理して前記ユーザの発話の中のキーワードを検出する音声処理手段と、
画像を取込む画像取込み手段と、
前記ユーザ入力受信手段と前記音声処理手段とに応答して、前記画像取込み手段を制御するコントローラとを有し、
前記コントローラは、前記ユーザ入力に応答して、所定時間が経過するまでは、前記画像取込み装置をユーザの発話に応答しない待機状態に設定し、前記所定時間が経過すると、前記画像取込み装置をアクティブ状態に設定することを特徴とする画像取込み装置。
【手続補正２】
【補正対象書類名】明細書
【補正対象項目名】発明の名称
【補正方法】変更
【補正の内容】
【発明の名称】画像取込み装置及び画像取込み方法
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
基体の表面にレジスト膜を形成する工程と、
前記レジスト膜の少なくとも一部を露光・現像することにより前記レジスト膜表面にレジスト膜の凸部と抜気用凹部とを形成する工程と、
前記レジスト膜にフォトマスクを重ねた状態で、前記抜気用凹部を介して真空引きす
ることにより、前記レジスト膜の凸部と前記フォトマスクとを密着させる工程と、
前記レジスト膜に対して所要のパターンを露光・現像する工程とを含み、
前記所要のパターンを露光する工程において、露光している時間と非露光時間が複数回にわたり繰り返し処理される間欠露光であって、少なくとも非露光時に、前記抜気用凹部を介して真空引きしていることを特徴とするレジストパターン形成方法。
【請求項２】
非磁性基体の表面にレジスト膜を形成する工程と、
前記レジスト膜の少なくとも一部を露光・現像することにより前記レジスト膜表面にレジスト膜の凸部と抜気用凹部とを形成する工程と、
前記レジスト膜にフォトマスクを重ねた状態で、前記抜気用凹部を介して真空引きすることにより、前記レジスト膜の凸部と前記フォトマスクとを密着させる工程と、
前記レジスト膜に対して所要のパターンを露光・現像してレジスト凹所を形成し、前記レジスト凹所の底部に前記非磁性基体の表面を露出させる工程と、
前記所要のパターンを露光・現像した後の前記レジスト膜表面および前記レジスト凹所を通じて露出させた前記非磁性基体表面に対して強磁性薄膜を堆積する工程と、
前記所要のパターンを露光・現像した後の前記レジスト膜を前記所要のパターンを露光・現像した後の前記レジスト膜表面に堆積した前記強磁性薄膜とともに除去して前記非磁性基体表面上に情報信号対応の強磁性薄膜パターンを形成する工程とを含み、
前記レジスト凹所を形成する工程における前記所要のパターンの露光方法が、露光している時間と非露光時間が複数回にわたり繰り返し処理される間欠露光であって、少なくとも非露光時に、前記抜気用凹部を介して真空引きしていることを特徴とするマスター情報担体の製造方法。
【請求項３】
非磁性基体の表面にレジスト膜を形成する工程と、
前記レジスト膜の少なくとも一部を露光・現像することにより前記レジスト膜表面にレジスト膜の凸部と抜気用凹部とを形成する工程と、
前記レジスト膜にフォトマスクを重ねた状態で、前記抜気用凹部を介して真空引きすることにより、前記レジスト膜の凸部と前記フォトマスクとを密着させる工程と、
前記レジスト膜に対して所要のパターンを露光・現像してレジスト凹所を形成し、前記レジスト凹所の底部に前記非磁性基体の表面を露出させる工程と、
前記所要のパターンを露光・現像した後の前記レジスト膜をマスクにしてエッチングを行い、前記レジスト凹所を通じて露出させた前記非磁性基体表面に基体凹所を形成する工程と、
前記基体凹所に埋め込む状態で前記エッチング後に残存する前記レジスト膜表面および前記基体凹所に対して強磁性薄膜を堆積する工程と、
前記基体凹所に埋め込んだ強磁性薄膜を残す状態で前記エッチング後に残存する前記レジスト膜を前記エッチング後に残存する前記レジスト膜表面に堆積した前記強磁性薄膜とともに除去して前記非磁性基体表面に情報信号対応の強磁性薄膜パターンを形成する工程とを含み、
前記レジスト凹所を形成する工程における前記所要のパターンの露光方法が、露光している時間と非露光時間が複数回にわたり繰り返し処理される間欠露光であって、少なくとも非露光時に、前記抜気用凹部を介して真空引きしていることを特徴とするマスター情報担体の製造方法。
【請求項４】
非磁性基体の表面に強磁性薄膜を堆積する工程と、
前記強磁性薄膜の表面にレジスト膜を形成する工程と、
前記レジスト膜の少なくとも一部を露光・現像することにより前記レジスト膜表面にレジスト膜の凸部と抜気用凹部とを形成する工程と、
前記レジスト膜にフォトマスクを重ねた状態で、前記抜気用凹部を介して真空引きすることにより、前記レジスト膜の凸部と前記フォトマスクとを密着させる工程と、
前記レジスト膜に対して所要のパターンを露光・現像してレジスト凹所を形成し、前記レジスト凹所の底部に前記強磁性薄膜を露出する工程と、
前記所要のパターンを露光・現像した後の前記レジスト膜をマスクにしてエッチングを行い、前記レジスト凹所を通じて露出させた部分の前記強磁性薄膜を除去する工程と、
エッチング後に残存する前記レジスト膜を除去して前記非磁性基体表面に情報信号対応の強磁性薄膜パターンを形成する工程とを含み、
前記レジスト凹所を形成する工程における前記所要のパターンを露光する方法が、露光している時間と非露光時間が複数回にわたり繰り返し処理される間欠露光であって、少なくとも非露光時に、前記抜気用凹部を介して真空引きしていることを特徴とするマスター情報担体の製造方法。
【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  船体と、この船体に傾動自在に支持された船舶推進機との間にシリンダ装置を介装し、作動油給排装置からシリンダ装置に作動油を供給もしくは排出制御することにより、シリンダ装置を伸縮させて船舶推進機をチルト動作させる船舶推進機用チルト装置において、
前記シリンダ装置が、船体と船舶推進機の一方に連結して用いられるシリンダと、他方に連結して用いられるピストンロッドとを有し、
上記シリンダ装置のシリンダを作動油給排装置を構成するタンクにより覆ってなることを特徴とする船舶推進機用チルト装置。
【請求項２】  前記シリンダ装置がシリンダブロックに前記シリンダを形成し、前記作動油給排装置がポンプをポンプハウジングに固定してなり、ポンプハウジングがシリンダブロックと別体に成形されてボルト結合されてなる請求項１記載の船舶推進機用チルト装置。
【請求項３】  船体と、この船体に傾動自在に支持された船舶推進機との間にシリンダ装置を介装し、作動油給排装置からシリンダ装置に作動油を供給もしくは排出制御することにより、シリンダ装置を伸縮させて船舶推進機をトリム動作及びチルト動作させる船舶推進機用トリム・チルト装置において、
前記シリンダ装置が、
船体と船舶推進機の一方に連結して用いられる、大径のトリム室を形成するハウジングと、
ハウジングのトリム室に伸縮可能に挿入され、小径のチルト室を形成するシリンダと、
ハウジングのトリム室内のシリンダ端部に固定され、トリム室をシリンダ収容側の第１トリム室と、シリンダ非収容側の第２トリム室とに区画する大径のトリムピストンと、
船体と船舶推進機の他方に連結して用いられ、シリンダのチルト室に伸縮可能に挿入されるピストンロッドと、
シリンダのチルト室内のピストンロッド端部に固定され、チルト室をピストンロッド収容側の第１チルト室と、ピストンロッド非収容側の第２チルト室とに区画する小径のチルトピストンとを有し、
上記シリンダ装置のシリンダがトリム動作域でハウジングから外方に突き出る部分を作動油給排装置を構成するタンクにより覆ってなることを特徴とする船舶推進機用トリム・チルト装置。
【請求項４】  前記シリンダ装置がシリンダブロックに前記ハウジングを形成し、前記作動油給排装置がポンプをポンプハウジングに固定してなり、ポンプハウジングがシリンダブロックと別体に成形されてボルト結合されてなる請求項３記載の船舶推進機用トリム・チルト装置。
【手続補正２】
【補正対象書類名】明細書
【補正対象項目名】０００３
【補正方法】変更
【補正の内容】
【０００３】
そして、従来の船舶推進機用トリム・チルト装置のシリンダ装置として、USP3250240に記載の如く、船体と船舶推進機の一方に連結して用いられる、大径のトリム室を形成するハウジングと、ハウジングのトリム室に伸縮可能に挿入され、小径のチルト室を形成するシリンダと、ハウジングのトリム室内のシリンダ端部に固定され、トリム室をシリンダ収容側の第１トリム室と、シリンダ非収容側の第２トリム室とに区画する大径のトリムピストンと、船体と船舶推進機の他方に連結して用いられ、シリンダのチルト室に伸縮可能に挿入されるピストンロッドと、シリンダのチルト室内のピストンロッド端部に固定され、チルト室をピストンロッド収容側の第１チルト室と、ピストンロッド非収容側の第２チルト室とに区画する小径のチルトピストンとを有してなるものがある。この従来技術では、トリム動作域でシリンダ装置のシリンダがハウジングから外方に突き出た後、チルト動作域でシリンダ装置のピストンロッドがシリンダから外方に突き出るようになっている。
【手続補正３】
【補正対象書類名】明細書
【補正対象項目名】００１２
【補正方法】変更
【補正の内容】
【００１２】
請求項４に記載の本発明は、請求項３に記載の本発明において更に、前記シリンダ装置がシリンダブロックに前記ハウジングを形成し、前記作動油給排装置がポンプをポンプハウジングに固定してなり、ポンプハウジングがシリンダブロックと別体に成形されてボルト結合されてなるようにしたものである。
【手続補正４】
【補正対象書類名】明細書
【補正対象項目名】００４７
【補正方法】変更
【補正の内容】
【００４７】
ここで、トリム・チルト装置２２にあっては、上記(1)〜(2)のトリムアップからチルトアップへの移行過程、及び(3)〜(4)のチルトダウンからトリムダウンへの移行過程で、ピストン５１、７１の有効面積が大径トリムピストン５１と小径チルトピストン７１との間で変化する。アップ時のピストンロッド６１の移行速度は、「トリム域＜チルト域（チルト域の方がトリム域より高速）」であり、ピストンロッド６１に作用する力は「トリム域＞チルト域（トリム域の方がチルト域より大きな力）」であり、ダウン時のピストンロッド６１の移行速度は、「トリム域＜チルト域（チルト域の方がトリム域より高速）」であり、ピストンロッド６１に作用する力は「トリム域＜チルト域（チルト域の方がトリム域より大きな力）」である。即ち、上記実施例では、(a) トリム域においては、プロペラ推力に対向してトリム角の微調整ができるとともに、浅瀬航行も可能となり、(b) チルト域においては、推進ユニット自重を支えるに必要な比較的小さな力で、迅速にチルトアップ／ダウンできる。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
次の工程：
シクロデキストリンを反応容器で溶媒に溶解して第１溶液を形成し、
撹拌しながら第１溶液に１種以上の活性物質を添加して、１種類以上の活性物質およびシクロデキストリンの第２溶液を形成し、
十分の時間と十分な温度で第２溶液を撹拌し、シクロデキストリンと１種以上の活性物質間に包接複合体を形成し、
第２溶液に固体含量増加剤を添加して、増加した固体含量を有する第３溶液を形成し、次いで
第３溶液を乾燥して複合体の約１〜２０重量％の量の活性物質を含有するシクロデキストリン包接複合体乾燥粉末を形成することからなる、１種以上の活性物質のシクロデキストリン包接複合体の製造方法。    
【請求項２】
請求項１記載の方法により製造したシクロデキストリン包接複合体。
【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】
酸性基および／またはその中和塩を有し、その表面近傍が表面架橋処理されてなる吸水性架橋重合体粒子を含み、かつ、前記吸水性架橋重合体粒子として、中和率５０〜９５モル％の部分中和ポリアクリル酸塩架橋重合体を含む吸水性樹脂であって、人工尿（組成；硫酸ナトリウム０．２重量％、塩化カリウム０．２重量％、塩化マグネシウム六水和物０．０５重量％、塩化カルシウム二水和物０．０２５重量％、リン酸二水素アンモニウム０．０８５重量％、リン酸水素二アンモニウム０．０１５重量％の水溶液）に対する６０分後の荷重５０ｇ／ｃｍ２での加圧下吸収倍率が３０ｇ／ｇ以上であり、かつゲル層通液速度が１００秒以下である、吸水性樹脂。
【請求項２】
粒度１５０μｍ以下の粒子が１０重量％以下であって、３００μｍより大きく６００μｍ以下の粒子を５０重量％以上、粒度３００μｍ未満の粒子を５重量％以上含む、請求項１に記載の吸水性樹脂。
【請求項３】
人工尿（組成；硫酸ナトリウム０．２重量％、塩化カリウム０．２重量％、塩化マグネシウム六水和物０．０５重量％、塩化カルシウム二水和物０．０２５重量％、リン酸二水素アンモニウム０．０８５重量％、リン酸水素二アンモニウム０．０１５重量％の水溶液）に対する６０分後の無加圧下の吸収倍率が３５倍以下である、請求項１または２に記載の吸水性樹脂。
【請求項４】
吸水性樹脂は、少なくとも一部が、酸性基および／またはその中和塩を含む重合性単量体と内部架橋剤とを架橋反応させてなる吸水性架橋重合体粒子であって、かつ、前記吸水性架橋重合体粒子は、少なくとも一部が、前記酸性基および／またはその中和塩と反応し得る官能基を複数有する化合物により表面近傍が表面架橋処理されてなるものである、請求項１から３までのいずれかに記載の吸水性樹脂。
【請求項５】
前記表面架橋処理が、酸性基および／またはその中和塩と反応しうる官能基を複数個有する化合物として多価アルコールを含む表面架橋剤によって行われてなる、請求項１から４までのいずれかに記載の吸水性樹脂。
【請求項６】
前記吸水性架橋重合体粒子の中和塩のうちの少なくとも一部がリチウム塩である、請求項１から５までのいずれかに記載の吸水性樹脂。
【請求項７】
前記表面架橋処理されてなる吸水性架橋重合体粒子のみからなる、請求項１から６までのいずれかに記載の吸水性樹脂。
【請求項８】
酸性基および／またはその中和塩を有し、その表面近傍が表面架橋処理されてなる吸水性架橋重合体粒子を含み、かつ、前記吸水性架橋重合体粒子として、中和率５０〜９５モル％の部分中和ポリアクリル酸塩架橋重合体を含む吸水性樹脂の製造方法であって、酸性基を有する重合性単量体の前記酸性基の少なくとも一部を炭酸リチウムを用いて中和した後、前記中和後の重合性単量体を重合し、重合中および／または重合後に架橋を行い吸水性架橋重合体を得る工程を含む、吸水性樹脂の製造方法。
【請求項９】
炭酸リチウムの１０〜８０重量％の水分散スラリーで中和する、請求項８に記載の吸水性樹脂の製造方法。
【請求項１０】
請求項１から７までのいずれかに記載の吸水性樹脂を構成材料として含む、吸水性物品。
【手続補正２】
【補正対象書類名】明細書
【補正対象項目名】０００８
【補正方法】変更
【補正の内容】
【０００８】
【課題を解決するための手段】
上記課題を解決するため、本発明は、以下の構成を提供する。
（１）酸性基および／またはその中和塩を有し、その表面近傍が表面架橋処理されてなる吸水性架橋重合体粒子を含み、かつ、前記吸水性架橋重合体粒子として、中和率５０〜９５モル％の部分中和ポリアクリル酸塩架橋重合体を含む吸水性樹脂であって、人工尿（組成；硫酸ナトリウム０．２重量％、塩化カリウム０．２重量％、塩化マグネシウム六水和物０．０５重量％、塩化カルシウム二水和物０．０２５重量％、リン酸二水素アンモニウム０．０８５重量％、リン酸水素二アンモニウム０．０１５重量％の水溶液）に対する６０分後の荷重５０ｇ／ｃｍ２での加圧下吸収倍率が３０ｇ／ｇ以上であり、かつゲル層通液速度が１００秒以下である、吸水性樹脂。
（２）酸性基および／またはその中和塩を有し、その表面近傍が表面架橋処理されてなる吸水性架橋重合体粒子を含み、かつ、前記吸水性架橋重合体粒子として、中和率５０〜９５モル％の部分中和ポリアクリル酸塩架橋重合体を含む吸水性樹脂の製造方法であって、酸性基を有する重合性単量体の前記酸性基の少なくとも一部を炭酸リチウムを用いて中和した後、前記中和後の重合性単量体を重合し、重合中および／または重合後に架橋を行い吸水性架橋重合体を得る工程を含む、吸水性樹脂の製造方法。
（３）前記吸水性樹脂を構成材料として含む、吸水性物品。
【手続補正書】
【提出日】平成19年7月17日(2007.7.17)
【手続補正１】
【補正対象書類名】明細書
【補正対象項目名】請求項１
【補正方法】変更
【補正の内容】
【請求項１】  溶融ガラス中の清澄剤により清澄ガスが発生する溶融ガラスの清澄方法において、溶融ガラスを１７００℃〜２８００℃の温度に加熱し、清澄剤による清澄ガスの最大放出が１６００℃を超える温度で生起することを特徴とする溶融ガラスの清澄方法。
【手続補正２】
【補正対象書類名】明細書
【補正対象項目名】００１５
【補正方法】変更
【補正の内容】
【００１５】
【課題を解決するための手段】
前記の目的を達成するために、本発明によれば、溶融ガラス中の清澄剤により清澄ガスが発生する溶融ガラスの清澄方法において、溶融ガラスを１７００℃〜２８００℃の温度に加熱し、清澄剤による清澄ガスの最大放出が１６００℃を超える温度、好ましくは１６５０℃を超える温度で生起することを特徴とする溶融ガラスの清澄方法が提供される。
本発明の方法の有利な修正点は、前記した特許請求の範囲の従属請求項に記載のサブジェクトマターを形成している。
【手続補正３】
【補正対象書類名】明細書
【補正対象項目名】００１７
【補正方法】変更
【補正の内容】
【００１７】
本発明に係る方法はまた、高融点ガラス材料に対する二次清澄も遂行可能である。溶融ガラスが１７００℃〜２８００℃の温度に加熱されること、及び清澄剤による清澄ガスの最大放出が１６００℃を超える温度で生起するということは、清澄ガスの自発的気泡が初めてこの温度範囲で発生することを意味する。清澄ガスの気泡形成のための温度範囲は、ガラスの溶融のための温度範囲の上にある。溶融後に溶融ガラス中に残存する、例えばＣＯ２、ＮＯ２、ＳＯ２、Ｈ２Ｏなどの残留ガスは、それらの分圧が既に１０５Ｐａ未満であっても清澄ガスの気泡中に拡散できる。残留ガスの分圧が低下することにより、溶融ガラスの再沸騰の危険性は著しく減少する。これまで慣用されてきたＡｓ２Ｏ５やＳｂ２Ｏ５などの毒性の清澄剤は全く使用しなくて済み、或いは係る清澄剤の量を著しく低減できる。一般的に言えば、溶融ガラスの一定の又は改善さえされた清澄を維持しながら、著しく少量の清澄剤を計量添加できる。さらに、清澄時間を著しく短縮でき、また清澄容積を著しく低減できる。
【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  抗原タンパク質、該抗原タンパク質に由来する抗原ペプチドおよびこれらが発現可能なＤＮＡからなる群より選ばれた少なくとも１種とインターフェロン−αまたはそれが発現可能なＤＮＡとを有効成分として含有する、抗原特異的Ｔ細胞の誘導剤。
【請求項２】  抗原タンパク質または抗原ペプチドとインターフェロン−αとを有効成分として含有する、請求項１記載の誘導剤。
【請求項３】  免疫増強剤をさらに含有する、請求項１または２記載の誘導剤。
【請求項４】  油中水型エマルション、水中油型エマルション、水中油中水型エマルション、リポソーム、マイクロスフェアー、マイクロカプセル、固形注射剤または液剤の剤形である、請求項１〜３いずれか記載の誘導剤。
【請求項５】  抗原が腫瘍抗原またはウイルス由来抗原である、請求項１〜４いずれか記載の誘導剤。
【請求項６】  腫瘍もしくはウイルス感染症の治療または予防に用いる、請求項１〜５いずれか記載の誘導剤。
【請求項７】  インターフェロン−αまたはそれが発現可能なＤＮＡを有効成分として含有する、抗原特異的Ｔ細胞の誘導増強剤。
【請求項８】  抗原タンパク質、該抗原タンパク質に由来する抗原ペプチドおよびこれらが発現可能なＤＮＡからなる群より選ばれた少なくとも１種を投与した後に使用される、インターフェロン−αまたはそれが発現可能なＤＮＡを含有する抗原特異的Ｔ細胞の誘導増強剤。
【請求項９】 抗原タンパク質、該抗原タンパク質に由来する抗原ペプチドおよびこれらが発現可能なＤＮＡからなる群より選ばれた少なくとも１種を投与する前に使用される、インターフェロン−αまたはそれが発現可能なＤＮＡを含有する抗原特異的Ｔ細胞の誘導増強剤。
【請求項１０】  抗原タンパク質、該抗原タンパク質に由来する抗原ペプチドおよびこれらが発現可能なＤＮＡからなる群より選ばれた少なくとも１種が投与される個体を対象とする、インターフェロン−αまたはそれが発現可能なＤＮＡを含有する抗原特異的Ｔ細胞の誘導増強剤。
【請求項１１】  抗原特異的Ｔ細胞の誘導剤を製造するための、抗原タンパク質、該抗原タンパク質に由来する抗原ペプチドおよびこれらが発現可能なＤＮＡからなる群より選ばれた少なくとも１種とインターフェロン−αまたはそれが発現可能なＤＮＡの使用。
【請求項１２】  抗原特異的Ｔ細胞の誘導増強剤を製造するための、インターフェロン−αまたはそれが発現可能なＤＮＡの使用。
【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  ２ストローククロスヘッド船舶ディーゼルエンジンのシリンダと、
（Ａ）多量の、潤滑性粘度を有するベースストック、
（Ｂ）少量の、少なくとも１種の過塩基性金属洗剤、及び
（Ｃ）少量の、少なくとも１種の、補助的な添加剤成分であって、（Ｂ）とは異なり、（Ｃ１）油溶性硫黄含有化合物及び／又は（Ｃ２）油溶性リン含有化合物を含む成分
を含む又は混合することにより製造したシリンダ潤滑剤
との組み合せであって、
該シリンダが、４０００ｋＷ又はそれより高い出力により特徴付けられる該組み合せ。
【請求項２】  シリンダが、更に、８５０ｃｍ又はそれより大きい口径により特徴付けられる請求項１記載の組み合せ。
【請求項３】  過塩基性金属洗剤がサリチル酸カルシウムである請求項１又は２記載の組み合せ。
【請求項４】  （Ｃ）が硫化アルキルフェノールの形態の（Ｃ１）である請求項１〜３のいずれか１項記載の組み合せ。
【請求項５】  硫化アルキルフェノールがアルキルフェノールスルフィドである請求項４記載の組み合せ。
【請求項６】  硫化アルキルフェノールが潤滑剤中に少なくとも０．５質量％の量で存在する請求項４又は５記載の組み合せ。
【請求項７】  （Ｃ）がアミンジチオホスフェートの形態の（Ｃ２）である請求項１〜３のいずれか１項記載の組み合せ。
【請求項８】  化合物が、潤滑剤中に少なくとも０．１質量％の量で存在する請求項７記載の組み合せ。
【請求項９】  請求項１及び３〜８のいずれか１項記載のシリンダ潤滑剤を、請求項１又は２記載の２ストローククロスヘッド船舶ディーゼルエンジンのシリンダの壁に供給することを含む、該シリンダを潤滑化する方法。
【請求項１０】  請求項１及び３〜８のいずれか１項記載のシリンダ潤滑剤を用いて、請求項１又は２記載の２ストローククロスヘッド船舶ディーゼルエンジンのシリンダの壁を潤滑化することによる、該シリンダの壁のすりへりタイプの機械的磨耗の開始温度を上昇させる方法。
【手続補正書】
【提出日】平成19年1月19日(2007.1.19)
【手続補正１】
【補正対象書類名】明細書
【補正対象項目名】００１０
【補正方法】変更
【補正の内容】
【００１０】
本発明の有機発光ディスプレイ装置において、前記光散乱層の材料は、非溶剤型高分子材料、例えばエポキシ、セルロース、ＲＴＶシリコン（室温硬化型シリコン）等が好ましい。
【手続補正２】
【補正対象書類名】明細書
【補正対象項目名】００１３
【補正方法】変更
【補正の内容】
【００１３】
本発明の有機発光ディスプレイ装置において、前記基板は透明基板を使用することも有用である。この場合、透明基板の下方に形成された光反射層をさらに備えることが好ましい。
【手続補正３】
【補正対象書類名】明細書
【補正対象項目名】００２６
【補正方法】変更
【補正の内容】
【００２６】
本発明を利用する実施例１、２の有機発光ディスプレイ装置では、前述の基板Ｓは透明基板を使用することも有用である。この場合、有機発光ディスプレイ装置は、透明な基板Ｓの下方に形成された光反射層（図示省略）をさらに備えることが好ましい。
【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  固有の識別子を用いて通信する通信機器に前記識別子を割り当てる識別子割当装置において、
通信機器からの要求を受信し、当該通信機器への識別子の最初の割り当てから所定期間内であれば該要求に応答して当該通信機器に識別子を割り当てる制御手段を備えたことを特徴とする識別子割当装置。
【請求項２】  認可した通信機器を管理する管理手段を備え、
前記制御手段は、前記認可した通信機器からの要求に対しては、常に該要求に応答して識別子を割り当てることを特徴とする請求項１記載の識別子割当装置。
【請求項３】  固有の識別子を用いて通信する通信機器に前記識別子を割り当てる識別子割当方法において、
通信機器からの要求を受信し、
前記通信機器への識別子の最初の割り当てから所定期間内であれば前記要求に応答して当該通信機器に識別子を割り当てることを特徴とする識別子割当方法。
【請求項４】  認可した通信機器を管理し、
前記認可した通信機器からの要求に対しては、常に該要求に応答して識別子を割り当てることを特徴とする請求項３記載の識別子割当方法。
【請求項５】  固有の識別子を用いて通信する通信機器に前記識別子を割り当てるコンピュータを、
通信機器からの要求を受信し、当該通信機器への最初の識別子の割り当てから所定期間内であれば該要求に応答して当該通信機器に識別子を割り当てる制御手段として機能させるためのプログラム。
【手続補正２】
【補正対象書類名】明細書
【補正対象項目名】００１１
【補正方法】変更
【補正の内容】
【００１１】
【課題を解決するための手段】
本発明は、固有の識別子を用いて通信する通信機器に前記識別子を割り当てる識別子割当装置において、通信機器からの要求を受信し、当該通信機器への識別子の最初の割り当
てから所定期間内であれば該要求に応答して当該通信機器に識別子を割り当てる制御手段を備えたことを特徴とする。
【手続補正３】
【補正対象書類名】明細書
【補正対象項目名】００１２
【補正方法】変更
【補正の内容】
【００１２】
好ましくは、認可した通信機器を管理する管理手段をさらに備え、上記制御手段は、前記認可した通信機器からの要求に対しては、常に該要求に応答して識別子を割り当てるようにしてもよい。
【手続補正４】
【補正対象書類名】明細書
【補正対象項目名】００２４
【補正方法】変更
【補正の内容】
【００２４】
また、本発明は、コンピュータその他の装置、機械等が、固有の識別子を用いて通信する通信機器に上記識別子を割り当てる識別子割当方法において、通信機器からの要求を受信し、上記通信機器への識別子の最初の割り当てから所定期間内であれば上記要求に応答して当該通信機器に識別子を割り当てるものでもよい。
【手続補正５】
【補正対象書類名】明細書
【補正対象項目名】００２５
【補正方法】変更
【補正の内容】
【００２５】
また、本発明は、固有の識別子を用いて通信する通信機器に上記識別子を割り当てるコンピュータを、通信機器からの要求を受信し、当該通信機器への識別子の最初の割り当てから所定期間内であれば該要求に応答して当該通信機器に識別子を割り当てる制御手段として機能させるためのプログラムとして構成してもよい。また、本発明は、そのようなプログラムをコンピュータその他の装置、機械等が読み取り可能な記録媒体に記録したものでもよい。